(57)【要約】【課題】本発明は、作業性の良いロック解除構造を有する光トランシーバ及び光トランシーバのロック状態制御方法を提供することを目的とする。【解決手段】本願発明の光トランシーバは、光ケーブル１２の接続された光送信器又は光受信器が収容されたベース１の外壁面上に配置され、ベース１側の端部が相手側装置に係合可能なロック部品２と、ロック部品２の光ケーブル１２側の端部と接続され、回動することによってロック部品２の係合状態とロック部品２の係合の解除状態とを切り替えるロック解除補助部品３と、ベース１側の端部がロック解除補助部品３と接続され、光ケーブル１２の伸延方向と平行な方向に移動することによってロック解除補助部品３を回動させるレバー４と、を備える。【選択図】図１
2014203055.tif 000002
【特許請求の範囲】
【請求項１】
光ケーブルの接続された光送信器又は光受信器が収容されたベースの外壁面上に配置され、前記ベース側の端部が相手側装置に係合可能なロック部品と、
前記ロック部品の前記光ケーブル側の端部と接続され、回動することによって前記ロック部品の係合状態と前記ロック部品の係合の解除状態とを切り替えるロック解除補助部品と、
前記ベース側の端部が前記ロック解除補助部品と接続され、前記光ケーブルの伸延方向と平行な方向に移動することによって前記ロック解除補助部品を回動させるレバーと、
を備える光トランシーバ。
【請求項２】
前記ロック部品は、長軸方向が前記光ケーブルの伸延方向と平行に配置され、長軸方向の途中に長軸方向と垂直な回動軸を有し、
前記ロック解除補助部品は、前記ロック部品の前記回動軸と平行な回動軸を中心に回動し、
前記レバーは、前記光ケーブル側から前記ベース側に平行移動させることによって前記ロック部品を前記相手側装置に係合させ、前記ベース側から前記光ケーブル側に平行移動させることによって前記ロック部品と前記相手側装置の係合を解除する
ことを特徴とする請求項１に記載の光トランシーバ。
【請求項３】
前記レバーの光ケーブル側の端部に、リング形状を有するハンドル部分を設け、
前記ハンドル部分の少なくとも一部と前記光ケーブルとの間に隙間が設けられている
ことを特徴とする請求項１又は２に記載の光トランシーバ。
【請求項４】
前記ハンドル部分の相手側装置側の端部は柔軟性を有し、
前記ハンドル部分が前記光ケーブルと垂直方向に移動可能である
ことを特徴とする請求項３に記載の光トランシーバ。
【請求項５】
ハンドル部分の前記光ケーブルに沿った両側面に、前記光ケーブルの挿抜方向への加重に対する抵抗を生じさせる窪み又は突起を設けた
ことを特徴とする請求項３又は４に記載の光トランシーバ。
【請求項６】
前記長軸方向の他端と前記ベースを接続したバネを用いて、前記ロック部品と前記相手側装置の係合を解除した状態から前記ロック部品を前記相手側装置に係合させた状態に戻す自動ロック機構を備えることを特徴とする請求項１から５のいずれかに記載の光トランシーバ。
【請求項７】
レバーを光ケーブルの伸延方向に平行移動させることによってロック解除補助部品を回動させ、当該回動によって光ケーブルの接続された光送信器又は光受信器が収容されたベースの外壁面上に配置されたロック部品の相手側装置との係合状態を解除する光トランシーバのロック状態制御方法。
【請求項８】
前記光ケーブル側から前記ベース側に平行移動させることによって前記ロック解除補助部品の回動軸と平行な回動軸を中心に前記ロック部品を回動させて前記ロック部品を前記相手側装置に係合させ、
前記ベース側から前記光ケーブル側に平行移動させることによって前記ロック解除補助部品の回動軸と平行な回動軸を中心に前記ロック部品を回動させて前記ロック部品と前記相手側装置の係合を解除する
ことを特徴とする請求項７に記載の光トランシーバのロック状態制御方法。
【発明の詳細な説明】
【技術分野】
【０００１】
本発明は、光トランシーバ及び光トランシーバのロック状態制御方法に関する。
【背景技術】
【０００２】
光デバイス機器を小型化かつ高密度化するために、光ケーブル付きの光トランシーバが提案されている（例えば、特許文献１参照。）。特許文献１に記載の光トランシーバは、光ユニット及びプリント基板を収容するハウジングの両脇に、相手側装置と係合するラッチレバーを備える。ラッチレバーの光ケーブル側の端部にグリップと呼ばれる治具を設けている。グリップには、グリップを引き抜くことでラッチレバーの光ケーブル側の端部が押し広げられるような傾斜が設けられている。このグリップを引き抜くことで、ラッチレバーと相手側装置の係合状態が解除される。
【先行技術文献】
【特許文献】
【０００３】
【特許文献１】２００８−２５０３６０号公報
【特許文献２】２００７−２０７４８１号公報
【発明の概要】
【発明が解決しようとする課題】
【０００４】
特許文献１に記載の光トランシーバは、ラッチレバーと相手側装置の係合状態を維持するためのバネが設けられており、グリップを引き抜く力にはバネの力が加わる。しかし、光トランシーバを実装するスペースは小さいため、グリップを十分に把持することは困難であり、グリップを引き抜きに難い。このため、特許文献１に記載の光トランシーバは、相手側装置から取り外し難い問題がある。
【０００５】
この問題を解決するために、本発明は、相手側装置から取り外し易いロック解除構造を有する光トランシーバ及び光トランシーバのロック状態制御方法を提供することを目的とする。
【課題を解決するための手段】
【０００６】
上記目的を達成するために、本願発明の光トランシーバは、光ケーブルの接続された光送信器又は光受信器が収容されたベースの外壁面上に配置され、前記ベース側の端部が相手側装置に係合可能なロック部品と、前記ロック部品の前記光ケーブル側の端部と接続され、回動することによって前記ロック部品の係合状態と前記ロック部品の係合の解除状態とを切り替えるロック解除補助部品と、前記ベース側の端部が前記ロック解除補助部品と接続され、前記光ケーブルの伸延方向と平行な方向に移動することによって前記ロック解除補助部品を回動させるレバーと、を備える。
【０００７】
上記目的を達成するために、本願発明の光トランシーバのロック状態制御方法は、レバーを光ケーブルの伸延方向に平行移動させることによってロック解除補助部品を回動させ、当該回動によって光ケーブルの接続された光送信器又は光受信器が収容されたベースの外壁面上に配置されたロック部品の相手側装置との係合状態を解除する。
【発明の効果】
【０００８】
本発明によれば、相手側装置から取り外し易いロック解除構造を有する光トランシーバ及び光トランシーバのロック状態制御方法を提供することができる。
【図面の簡単な説明】
【０００９】
【図１】実施形態１に係る光トランシーバの構成の一例であり、光トランシーバが相手側装置と係合している状態を示す。
【図２】実施形態１に係る光トランシーバの構成の一例であり、光トランシーバと相手側装置との係合が解除されている状態を示す。
【図３】実施形態２に係る光トランシーバの一例を示す展開図である。
【図４】実施形態２に係る光トランシーバの一例を示す組立図である。
【図５】係止部とケースの係止状態の一例を示す斜視図である。
【図６】係止部とケースの係止状態の一例を示す側面図である。
【図７】実施形態２に係る光トランシーバのロック解除構造を説明する断面図である。
【図８】実施形態２に係る光トランシーバのロック解除構造を説明する斜視面図である。
【図９】柔軟性を有するレバーを説明する拡大図である。
【図１０】窪みを有するレバーを説明する拡大図である。
【図１１】実施形態３に係る光トランシーバの一例を示す展開図である。
【図１２】実施形態３に係る光トランシーバのロック解除構造を説明する断面図である。
【図１３】実施形態４に係る光トランシーバの一例を示す斜視図である。
【発明を実施するための形態】
【００１０】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００１１】
（実施形態１）
図１及び図２に、本実施形態に係る光トランシーバの構成の一例を示す。本実施形態に係る光トランシーバは、ベース１と、ロック部品２と、ロック解除補助部品３と、レバー４と、を備える。
【００１２】
ベース１は、光ユニット及びプリント基板を収容する。光ユニットは、光ケーブル１２の接続された光送信器又は光受信器を含む。ベース１の一部が相手側装置のケース９に収容されることで、光トランシーバが相手側装置に実装される。本実施形態の光トランシーバを相手側装置に実装することで、相手側装置は光ケーブル１２を介した光通信が可能になる。
【００１３】
ロック部品２は、ベース１の外壁面上に配置されている。ロック部品２の係止部１０は、ベース１側の端部が相手側装置のケース９に係合可能になっている。
ロック解除補助部品３は、ロック部品２の光ケーブル１２側の端部と接続され、回動することによってロック部品２の係合状態とロック部品２の係合の解除状態とを切り替える。
レバー４は、ベース１側の端部がロック解除補助部品３と接続され、方向ＤＳに移動することによってロック解除補助部品３を回動させる。方向ＤＳは、光ケーブル１２の伸延方向と平行な方向である。例えば、ベース１側から光ケーブル１２側への方向である。実施の態様によっては、方向ＤＳは、光ケーブル１２側からベース１側への方向であってもよい。
【００１４】
本実施形態に係る光トランシーバのロック状態制御方法は、レバー４を方向ＤＳに平行移動させることによって、ロック解除補助部品３を回動方向Ｄ３に向けて回動させ、ロック部品２は回動方向Ｄ２に回動させる。これにより、本実施形態に係る光トランシーバのロック状態制御方法は、光トランシーバを図１の状態から図２の状態に変化させ、ロック部品２の相手側装置との係合状態を解除する。
【００１５】
方向ＤＳは、光トランシーバを相手側装置から取り外す方向である。このため、本実施形態に係る光トランシーバは、モジュールを取り外す方向にレバー４を引くだけの一方向動作で実現出来るため、ロック解除及びモジュール取り外しの操作性に優れる。したがって、本発明は、相手側装置から取り外し易いロック解除構造を有する光トランシーバ及び光トランシーバのロック状態制御方法を提供することができる。
【００１６】
（実施形態２）
本実施形態では、図３から図１０を参照しながら、ロック解除構造の具体例について説明する。
図３を参照すると、本実施形態の光トランシーバは、ベース１にロック部品２及びロック解除補助部品３、レバー４をセットし、ピン６によりロック部品２及びロック解除補助部品３をベース１と固定し、カバー７とベース１のネジ固定８にてレバー４を固定する構成となる。組込み後の形態を図４に示す。
【００１７】
ロック部品２は、長軸方向が光ケーブル１２の伸延方向ＤＳと平行に配置され、長軸方向の途中に長軸方向と垂直な回動軸であるピン６ａを有する。
ロック解除補助部品３は、ロック部品２の回動軸６ａと平行な回動軸６ｂを中心に回動する。
レバー４は、方向ＤＳへ平行移動させることによってロック部品２をケース９に係合させる。レバー４は、方向ＤＳと逆方向に平行移動させることによってロック部品２とケース９の係合を解除する。方向ＤＳは、ベース１側から光ケーブル１２側への方向である。
【００１８】
ロック２を回動させる機構については、レバー４が光トランシーバの前方へ押された際、レバー４がロック解除補助部品３を押し、ロック解除補助部品３はピン６ｂを軸に回動する。この時、ロック解除補助部品３がロック部品２の先端を押すことで、ロック部品２がピン６ａを軸に回動する。
【００１９】
光トランシーバの相手側装置のケース９への実装時、図５及び図６に示すように、光トランシーバとケース９はロック２に形成された係止部１０とケース９に形成された係止穴１１により固定されている。
【００２０】
図７に示すように、ベース１内部に組み込んだレバー４を前方へ引くと、ロック２はピン６ａを軸に回動する。すると、ロック２の係止部１０がケース９の係止穴から外れ、ケース９とのロックが解除される。
【００２１】
レバー４は、図３、図４及び図８に示すように、リング形状を有するハンドル部分を有することが好ましい。リングは指が掛かる程度の大きさを有する。ハンドル部分は、レバー４の光ケーブル１２側の端部に設けられる。レバー４の光ケーブル１２側の端部は、リングに指を掛けやすいように、ハンドル部分の少なくとも一部と光ケーブルとの間に隙間が設けられている。
【００２２】
レバー４のハンドル部分の相手側装置側の端部は柔軟性を有することが好ましい。レバー４がエラストマーのような柔軟な素材でできていてもよい。これにより、光ケーブル１２が接続された状態であっても、レバー４のハンドル部分１３を変形させることで操作の妨げになることなくロック解除操作ができる。また、リングの内側からハンドル部分に指を掛け、図９に示すように、ハンドル部分を光ケーブル１２と垂直な方向ＤＰに引き上げることができる。これにより、ロック部品２の相手側装置との係合状態を解除する際の操作性が向上するとともに、レバー４の一部が変形するため光ケーブル１２に負荷を掛けることなく操作できる。
【００２３】
ハンドル部分の光ケーブル１２に沿った両側面に、図１０に示すように、光ケーブル１２の挿抜方向と平行な方向ＤＳへの加重に対する抵抗を生じさせる窪みを設けることが好ましい。窪みは、親指の腹の一部が収まる広さを有する。この窪みには、図９に示すように、方向ＤＳへの加重に対する抵抗を生じさせる突起が設けられていることが好ましい。これにより、光トランシーバが横向きに実装されている場合でも窪み１４を使用しレバー４を引き出すことができる。したがって、ＡＯＣ（Ａｃｔｉｖｅ  Ｏｐｔｉｃａｌ  Ｃａｂｌｅ）型及び光トランシーバの実装向きにとらわれることなく、あらゆる方向からロック解除操作を行うことができる。
【００２４】
本実施形態に係る各構成部品はそれぞれシンプルな形状の板金部品で製造が可能なため、本実施形態の光トランシーバは低コストでの部品調達が可能となる。
【００２５】
（実施形態３）
図１１及び図１２に、本実施形態に係る光トランシーバの一例を示す。本実施形態に係る光トランシーバは、自動ロック機構を備える。
【００２６】
自動ロック機構は、２つのバネ５ａ及び５ｂを用いて構成される。バネ５ａは、回動軸６ａと６ｂの間でありかつロック部品２とベース１の間に配置され、ロック部品２の光ケーブル１２側の端部を跳ね上げる方向に力を加える。バネ５ｂは、ロック解除補助部品３とベース１の光ケーブル１２側の端部の間に配置され、レバー４をベース１側に戻す方向に力を加える。
【００２７】
本実施形態に係る光トランシーバは、これら２つのバネ５ａ及び５ｂを備えるため、ロック部品２と相手側装置のケース９の係合を解除した状態からロック部品２を相手側装置のケース９に係合させた状態に自動的に戻すことができる。
【００２８】
（実施形態４）
図１３に、本実施形態に係る光トランシーバの一例を示す。本実施形態に係る光トランシーバは、レバー４にハンドル部分を設けない。レバー４を方向ＤＳと逆方向に押し込むことは、レバー４のハンドル部分を用いずに行うことができる。このため、本実施形態に係る光トランシーバは、光トランシーバを相手側装置に実装することができる。
【００２９】
光トランシーバを相手側装置から取り外す場合は、治具等の別部品１６を用いてレバー４を引く。例えば、レバー４のうちの光ケーブル１２と垂直な側面に別部品１６と係合する開口部を設ける。これにより、開口部に別部品１６を係合させ、別部品１６を方向ＤＳに引くことで、ロック部品２と相手側装置のケース９の係合を解除することができる。
【００３０】
またロック２及びレバー４にバネ５が組み込まれていることで、ロック解除時に回動していたロック解除補助部品３及び引き出していたレバー４を、光トランシーバ取り外し後自動的にベース１に収納することができる。
【産業上の利用可能性】
【００３１】
本発明は情報通信産業に適用することができる。
【符号の説明】
【００３２】
１：ベース
２：ロック部品
３：ロック解除補助部品
４：レバー
５ａ、５ｂ：バネ
６ａ、６ｂ：ピン
７：カバー
８：ネジ
９：ケース
１０：係止部（ロック部品）
１１：係止穴（ケース）
１２：光ケーブル
１３：ハンドル
１４：窪み
１６：レバー代替治具
【図１】
2014203055.tif 000003
【図２】
2014203055.tif 000004
【図３】
2014203055.tif 000005
【図４】
2014203055.tif 000006
【図５】
2014203055.tif 000007
【図６】
2014203055.tif 000008
【図７】
2014203055.tif 000009
【図８】
2014203055.tif 000010
【図９】
2014203055.tif 000011
【図１０】
2014203055.tif 000012
【図１１】
2014203055.tif 000013
【図１２】
2014203055.tif 000014
【図１３】
2014203055.tif 000015